【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
被写体像を順次撮像する撮像手段と、
前記撮像手段により撮像された被写体像における注目画像を囲み、撮影する範囲を示す枠を設定する設定手段と、
この設定手段により設定された枠を前記注目画像の動きに追従させて変位させる第１の制御手段と、
前記注目画像の大きさを検出する検出手段と、
この検出手段により検出された注目画像の大きさに応じて、前記枠の大きさを可変制御する第２の制御手段と
を備えることを特徴とするカメラ装置。
【請求項２】
表示手段と、
前記表示手段に前記枠内の画像を表示させる表示制御手段を更に備えたことを特徴とする請求項１記載のカメラ装置。
【請求項３】
前記表示制御手段は、前記撮像手段により撮像された被写体像を前記表示手段に表示させるとともに、この被写体像上に前記枠を表示し、前記第１の制御手段による位置の変化および前記第２の制御手段による大きさの変化に対応させて、前記枠の表示位置と表示サイズとを変化させることを特徴とする請求項２記載のカメラ装置。
【請求項４】
前記設定手段は、
前記注目画像の輪郭を抽出し、この抽出した注目画像の輪郭に応じた大きさで、前記枠を設定することを特徴とする請求項１、２又は３記載のカメラ装置。
【請求項５】
前記検出手段は、前記枠の中心部における画像の移動ベクトルと、前記枠の中心部から所定距離だけ離れた位置にある所定部位における画像の移動ベクトルとを算出する算出手段と、
この算出手段により算出された前記枠の中心部における画像の移動ベクトルと、前記所定部位における画像の移動ベクトルと、前記中心部から前記所定部位までの距離とに基づき、前記注目画像の大きさを判断する判断手段と
を備えることを特徴とする請求項１から４にいずれか記載のカメラ装置。
【請求項６】
前記第１の制御手段は、前記設定手段により設定された枠を、前記算出手段により算出された前記枠の中心部における画像の移動ベクトルに基づいて変位させることを特徴とする請求項５記載のカメラ装置。
【請求項７】
前記第２の制御手段は、前記算出手段により算出された前記枠の中心部における画像の移動ベクトルと、前記所定部位における画像の移動ベクトルとに基づき、前記枠の大きさを変化させることを特徴とする請求項５記載のカメラ装置。
【請求項８】
前記検出手段は、前記注目画像の輪郭を抽出する抽出手段と、
この抽出された前記注目画像の輪郭に基づき、その大きさを判断する判断手段と、を備えることを特徴とする請求項１から４にいずれか記載のカメラ装置。
【請求項９】
前記検出手段は、前記注目画像の動きが一定以上であるか否かを判断する判断手段と、
この判断手段により、前記注目画像の動きが一定未満であると判断された場合に動作する第１の検出手段、及び前記動きが一定以上であると判断された場合に動作する第２の検出手段を備え、
前記第１の検出手段は、
前記注目画像の輪郭を抽出する抽出手段と、
この抽出された前記注目画像の輪郭に基づき、その大きさを判断する判断手段とを備え、
前記第２の検出手段は、
前記枠の中心部における画像の移動ベクトルと、前記枠の中心部から初所定距離だけ離れた位置にある所定部位における画像の移動ベクトルとを算出する算出手段と、
この算出手段により算出された前記枠の中心部における画像の移動ベクトルと、前記所定部位における画像の移動ベクトルとに基づき、前記注目画像の大きさを判断する判断手段と
を備えることを特徴とする請求項１から４いずれか記載のカメラ装置。
【請求項１０】
前記算出手段は、前記枠の中心部における画像の移動ベクトルと、その周囲における複数箇所の画像の移動ベクトルとを算出することを特徴とする請求項５又は９記載のカメラ装置。
【請求項１１】
前記算出手段は、前記枠の中心部における画像の移動ベクトルと、前記枠の四隅部における画像の移動ベクトルとを算出することを特徴とする請求項１０記載のカメラ装置。
【請求項１２】
前記撮像手段は、被写体像を順次撮像してフレーム毎に出力し、
前記第２のトリミング制御手段は、前記枠の大きさを前記フレーム内に収まる範囲に制限しつつ可変制御することを特徴とする請求項１から１１にいずれか記載のカメラ装置。
【請求項１３】
画像を記録する記録手段を備え、
前記設定手段は、撮影する範囲を示すトリミング枠を設定し、前記記録手段は、前記トリミング枠内の画像を記録することを特徴とする請求項１から１１にいずれか記載のカメラ装置。
【請求項１４】
被写体像を順次撮像する撮像手段を備えるカメラ装置が有するコンピュータを、
前記撮像手段により撮像された被写体像における注目画像を囲み、撮影する範囲を示す枠を設定する設定手段と、
この設定手段により設定された枠を前記注目画像の動きに追従させて変位させる第１の制御手段と、
前記注目画像の大きさを検出する検出手段と、
この検出手段により検出された注目画像の大きさに応じて、前記枠の大きさを可変制御する第２の制御手段と
して機能させることを特徴とするカメラ装置制御プログラム。
【請求項１５】
カメラ装置の制御方法において、
被写体像を順次撮像する撮像ステップと、
この撮像ステップにより撮像された被写体像における注目画像を囲み、撮影する範囲を示す枠を設定する設定ステップと、
この設定ステップにより設定された枠を前記注目画像の動きに追従させて変位させる第１の制御ステップと、
前記注目画像の大きさを検出する検出ステップと、
この検出手段により検出された注目画像の大きさに応じて、前記枠の大きさを可変制御する第２の制御ステップと
を含むことを特徴とするカメラ装置制御方法。
【手続補正２】
【補正対象書類名】明細書
【補正対象項目名】０００５
【補正方法】変更
【補正の内容】
【０００５】
前記課題を解決するため請求項１記載の発明に係るカメラ装置にあっては、被写体像を順次撮像する撮像手段と、前記撮像手段により撮像された被写体像における注目画像を囲み、撮影する範囲を示す枠を設定する設定手段と、この設定手段により設定された枠を前記注目画像の動きに追従させて変位させる第１の制御手段と、前記注目画像の大きさを検出する検出手段と、この検出手段により検出された注目画像の大きさに応じて、前記枠の大きさを可変制御する第２の制御手段とを備えることを特徴とする。
【手続補正３】
【補正対象書類名】明細書
【補正対象項目名】０００６
【補正方法】変更
【補正の内容】
【０００６】
また、請求項２記載の発明に係るカメラ装置にあっては、表示手段と、前記表示手段に前記枠内の画像を表示させる表示制御手段を更に備えたことを特徴とする。
【手続補正４】
【補正対象書類名】明細書
【補正対象項目名】０００７
【補正方法】変更
【補正の内容】
【０００７】
また、請求項３記載の発明に係るカメラ装置にあっては、前記表示制御手段は、前記撮像手段により撮像された被写体像を前記表示手段に表示させるとともに、この被写体像上に前記枠を表示し、前記第１の制御手段による位置の変化および前記第２の制御手段による大きさの変化に対応させて、前記枠の表示位置と表示サイズとを変化させることを特徴とする。
【手続補正５】
【補正対象書類名】明細書
【補正対象項目名】０００８
【補正方法】変更
【補正の内容】
【０００８】
また、請求項４記載の発明に係るカメラ装置にあっては、前記設定手段は、前記注目画像の輪郭を抽出し、この抽出した注目画像の輪郭に応じた大きさで、前記枠を設定することを特徴とする。
【手続補正６】
【補正対象書類名】明細書
【補正対象項目名】０００９
【補正方法】変更
【補正の内容】
【０００９】
また、請求項５記載の発明に係るカメラ装置にあっては、前記検出手段は、前記枠の中心部における画像の移動ベクトルと、前記枠の中心部から所定距離だけ離れた位置にある所定部位における画像の移動ベクトルとを算出する算出手段と、この算出手段により算出された前記枠の中心部における画像の移動ベクトルと、前記所定部位における画像の移動ベクトルと、前記中心部から前記所定部位までの距離とに基づき、前記注目画像の大きさを判断する判断手段とを備えることを特徴とする。
【手続補正７】
【補正対象書類名】明細書
【補正対象項目名】００１０
【補正方法】変更
【補正の内容】
【００１０】
また、請求項６記載の発明に係るカメラ装置にあっては、前記第１の制御手段は、前記設定手段により設定された枠を、前記算出手段により算出された前記枠の中心部における画像の移動ベクトルに基づいて変位させることを特徴とする。
【手続補正８】
【補正対象書類名】明細書
【補正対象項目名】００１１
【補正方法】変更
【補正の内容】
【００１１】
また、請求項７記載の発明に係るカメラ装置にあっては、前記第２の制御手段は、前記算出手段により算出された前記枠の中心部における画像の移動ベクトルと、前記所定部位における画像の移動ベクトルとに基づき、前記枠の大きさを変化させることを特徴とする。
【手続補正９】
【補正対象書類名】明細書
【補正対象項目名】００１２
【補正方法】変更
【補正の内容】
【００１２】
また、請求項８記載の発明に係るカメラ装置にあっては、前記検出手段は、前記注目画像の輪郭を抽出する抽出手段と、この抽出された前記注目画像の輪郭に基づき、その大きさを判断する判断手段と、を備えることを特徴とする。
【手続補正１０】
【補正対象書類名】明細書
【補正対象項目名】００１３
【補正方法】変更
【補正の内容】
【００１３】
また、請求項９記載の発明に係るカメラ装置にあっては、前記検出手段は、前記注目画像の動きが一定以上であるか否かを判断する判断手段と、この判断手段により、前記注目画像の動きが一定未満であると判断された場合に動作する第１の検出手段、及び前記動きが一定以上であると判断された場合に動作する第２の検出手段を備え、前記第１の検出手段は、前記注目画像の輪郭を抽出する抽出手段と、この抽出された前記注目画像の輪郭に基づき、その大きさを判断する判断手段とを備え、前記第２の検出手段は、前記枠の中心部における画像の移動ベクトルと、前記枠の中心部から初所定距離だけ離れた位置にある所定部位における画像の移動ベクトルとを算出する算出手段と、この算出手段により算出された前記枠の中心部における画像の移動ベクトルと、前記所定部位における画像の移動ベクトルとに基づき、前記注目画像の大きさを判断する判断手段とを備えることを特徴とする。
【手続補正１１】
【補正対象書類名】明細書
【補正対象項目名】００１４
【補正方法】変更
【補正の内容】
【００１４】
また、請求項１０記載の発明に係るカメラ装置にあっては、前記算出手段は、前記枠の中心部における画像の移動ベクトルと、その周囲における複数箇所の画像の移動ベクトルとを算出することを特徴とする。
【手続補正１２】
【補正対象書類名】明細書
【補正対象項目名】００１５
【補正方法】変更
【補正の内容】
【００１５】
また、請求項１１記載の発明に係るカメラ装置にあっては、前記算出手段は、前記枠の中心部における画像の移動ベクトルと、前記枠の四隅部における画像の移動ベクトルとを算出することを特徴とする。
【手続補正１３】
【補正対象書類名】明細書
【補正対象項目名】００１６
【補正方法】変更
【補正の内容】
【００１６】
また、請求項１２記載の発明に係るカメラ装置にあっては、前記撮像手段は、被写体像を順次撮像してフレーム毎に出力し、前記第２のトリミング制御手段は、前記枠の大きさを前記フレーム内に収まる範囲に制限しつつ可変制御することを特徴とする。
【手続補正１４】
【補正対象書類名】明細書
【補正対象項目名】００１７
【補正方法】変更
【補正の内容】
【００１７】
また、請求項１３記載の発明に係るカメラ装置にあっては、画像を記録する記録手段を備え、前記設定手段は、撮影する範囲を示すトリミング枠を設定し、前記記録手段は、前記トリミング枠内の画像を記録することを特徴とする。
【手続補正１５】
【補正対象書類名】明細書
【補正対象項目名】００１８
【補正方法】変更
【補正の内容】
【００１８】
また、請求項１４記載の発明に係るカメラ装置制御プログラムにあっては、被写体像を順次撮像する撮像手段を備えるカメラ装置が有するコンピュータを、前記撮像手段により撮像された被写体像における注目画像を囲み、撮影する範囲を示す枠を設定する設定手段と、この設定手段により設定された枠を前記注目画像の動きに追従させて変位させる第１の制御手段と、前記注目画像の大きさを検出する検出手段と、この検出手段により検出された注目画像の大きさに応じて、前記枠の大きさを可変制御する第２の制御手段として機能させることを特徴とする。
また、請求項１５記載の発明に係るカメラ装置制御方法にあっては、被写体像を順次撮像する撮像ステップと、この撮像ステップにより撮像された被写体像における注目画像を囲み、撮影する範囲を示す枠を設定する設定ステップと、この設定ステップにより設定された枠を前記注目画像の動きに追従させて変位させる第１の制御ステップと、前記注目画像の大きさを検出する検出ステップと、この検出手段により検出された注目画像の大きさに応じて、前記枠の大きさを可変制御する第２の制御ステップとを含むことを特徴とする。